【事件の表示】
　平成７年特許願第３１００８０号「再生装置」拒絶査定不服審判事件〔平成９年５月１６日出願公開、特開平９−１２８８６８〕について、次のとおり審決する。
【結　論】
　本件審判の請求は、成り立たない。
【理　由】
第１　手続の経緯
　
　本願は、平成７年１１月２日の出願であって、平成１６年１月５日付けの拒絶理由通知に対して、同年３月１５日付けで手続補正がされたが、同年５月１８日付けで拒絶査定され、これに対し、同年６月２２日に拒絶査定不服審判が請求されるとともに、同年７月１４日付けで手続補正がされたものである。
　
　
第２　平成１６年７月１４日付けの手続補正についての補正却下の決定
　
〔補正却下の決定の結論〕
　平成１６年７月１４日付けの手続補正（以下、「本件補正」という。）を却下する。
　
〔理　由〕
１．本件補正
　本件補正は、特許請求の範囲及び発明の詳細な説明についてするものである。本件補正前の特許請求の範囲は、
「【請求項１】　少なくとも一つのプログラムが記録されたプログラム領域と、
　上記プログラム領域に記録されている上記プログラムの総プログラム数と、各プログラムの記録位置と、管理情報の種別を示す識別情報と、１乃至複数のプログラムのダイジェスト情報の記録位置を示すダイジェスト管理情報と、上記プログラム領域に記録されているプログラムの内容を示すプログラム管理情報とが記録された管理領域とを有する記録媒体を再生する再生装置であって、
　上記プログラム領域および上記管理領域を再生する再生手段と、
　上記再生手段によって再生された上記管理領域中の上記識別情報に基づいて、上記ダイジェスト管理情報と上記プログラム管理情報とを識別して記憶する記憶手段と、
　上記記録媒体に記録されたダイジェスト情報のダイジェスト再生と、上記プログラム管理情報の表示を指示することができる操作手段と、
　上記ダイジェスト再生が指示された場合に、上記ダイジェスト管理情報で指示される上記ダイジェスト情報を選択的に再生する制御を行い、
　上記プログラム管理情報の表示が指示された場合に、上記プログラム管理情報を表示する制御を行う制御手段とからなることを特徴とする再生装置。
　【請求項２】　上記ダイジェスト管理情報には、プログラム中に含まれる上記ダイジェスト情報の数が記録されていることを特徴とする請求項１に記載の再生装置。」
とあったところ、本件補正は、請求項１を、
「【請求項１】　少なくとも一つのプログラムが記録されたプログラム領域と、
　所定の長さの記録情報を所定の数だけ積層することにより判別可能となる、上記プログラム領域に記録されている上記プログラムの総プログラム数と、各プログラムの記録位置と、管理情報の種別を示す識別情報と、１乃至複数のプログラムのダイジェスト情報の記録位置を示すダイジェスト管理情報と、上記プログラム領域に記録されているプログラムの内容を示すプログラム管理情報とが記録された管理領域とを有する記録媒体を再生する再生装置であって、
　上記プログラム領域および上記管理領域を再生する再生手段と、
　上記再生手段によって再生され、所定の長さの記録情報を所定の数だけ積層することにより判別可能となった上記管理領域中の記録情報から上記識別情報を分離する識別情報分離手段と、
　上記識別情報分離手段によって分離された上記識別情報に基づいて、上記ダイジェスト管理情報と上記プログラム管理情報とを識別して記憶する記憶手段と、
　上記記録媒体に記録されたダイジェスト情報のダイジェスト再生と、上記プログラム管理情報の表示を指示することができる操作手段と、
　上記ダイジェスト再生が指示された場合に、上記ダイジェスト管理情報で指示される上記ダイジェスト情報を選択的に再生する制御を行い、
　上記プログラム管理情報の表示が指示された場合に、上記プログラム管理情報を表示する制御を行う制御手段とからなることを特徴とする再生装置。」と補正しようとするものである。
　請求項２の記載は、本件補正による変更はない。
　すると、本件補正は、概略、補正前の請求項１に記載された発明を特定する事項である「管理領域」について「所定の長さの記録情報を所定の数だけ積層することにより判別可能となる」こと、及び「識別情報」について「識別情報分離手段によって分離された」ことをそれぞれ限定することにより、特許請求の範囲を減縮しようとするものと認められるから、平成１８年改正前特許法第１７条の２第４項第２号に掲げる事項を目的とするものに該当する。
　
　そこで、本件補正後における特許請求の範囲に記載されている事項により特定される発明が特許出願の際独立して特許を受けることができるものであるか（平成１８年改正前特許法第１７条の２第５項において準用する同法第１２６条第５項に規定する要件を満たすか）否かを、請求項１に係る発明（以下、「本願補正発明」という。）について以下に検討する。
　
２．引用例
（１）第１引用例
　原査定の拒絶の理由に引用された、特開平２−９４１９０号公報（以下、「第１引用例」という。）には、図面とともに以下の技術事項が記載されている。
　
（ａ）第５図ないし第７図を参照して、従来の「ミュージックスキャン再生」について、次のように記載されている。
「
ＣＤ４１のリードイン領域４２のサブコードＱチャンネル領域にはそのＣＤ４１に記録されているトラックの番号と先頭のタイムコード、そのＣＤ４１に記録されている最初と最終のトラック番号、リードアウト領域の先頭のタイムコード等を示すＴＯＣが記録されている
　プレーヤは、まずリードイン領域４２を再生し、そのサブコードＱチヤンネルに記録されたＴＯＣ情報を読み込み各トラックの先頭アドレスなどの配置情報を得る。ミュージックスキャン再生の場合、得られたＴＯＣ情報をもとにＣＤ４１のプログラム領域４２に記録された第１トラツクの先頭位置６１をサーチし、その位置からＴ秒間再生する。第１トラックの先頭からＴ秒の位置６２を検出すると再生を終了し、第２トラツクの先頭位置６３をサーチする。その位置から第２トラツクの先頭からＴ秒の位置６４まて再生する。以降各トラックに対して同し動作を最終トラックの先頭からＴ秒の位置６６の再生が終了するまで行う。このミュージックスキャン再生は主にディスクに記録されている内容の概要を知るのに用いられる。」（２頁左上欄１２行〜右上欄２０行）
　
（ｂ）「発明が解決しようとする課題
　しかしながら上記の従来の構成では、ミュージックスキャン再生を行う場合、どのトラックにおいても、ＣＤに記録された各トラックの曲の内容によらず再生区間が曲の先頭から一定時間といった固定区間であるため、曲によっては前奏しが再生されない、フレーズの途中で途切れるという問題点が有り、必ずしもディスクに記録されている内容の概要を十分知ることが出来ないという問題点を有していた。
　本発明は上記課題に鑑み、各トラックに記録された曲の内容に従って、
トラック毎に再生区間を可変にしたコンパクトディスクとその再生方法とその再生装置
　課題を解決するための手段
　上記課題を解決するために本発明のコンパクトディスクは、
プログラム領域内の任意の区間を表す２種類のタイムコードを区間情報としてリードイン領域のサブコードに記録し、本発明の再生装置は、リードイン領域のサブコードに記録された区間情報に従って、区間情報で指定された区間を順に再生する
　
（ｃ）第１図から第４図を参照して実施例について次のように記載されている。
「第１図は本発明の一実施例のＣＤの断面図である。第１図において
１は本実施例のＣＤ、２はリードイン領域、３は音響情報が記録されたプログラム領域、４はディスクの終端を示すリードアウト領域
　第２図は本実施例のＣＤのリードイン領域の
サブコードＲチャンネル領域を示す図である。第２図において、１１はトラック番号、１２は再生開始位置を示すタイムコード、１３は再生終了位置を示すタイムコード
　第３図は本実施例のＣＤのプログラム領域を模式的に示した図で、第３図において、２１は第１トラックの再生開始位置、２２は第１トラックの再生終了位置、２３は第２トラックの再生開始位置、２４は第２トラックの再生終了位置、２５は最終トラックの再生開始位置、２６は最終トラックの再生終了位置である。
　第４図は本実施例のＣＤの再生装置のブロック図で、第４図において、
３２はピックアップ、３３はＥＦＭ復調器、３４はＣＩＲＣデコーダ、３５はマイコン、３６はスピンドルモータ、３７はサーボ回路、３８はＤ／Ａコンバータ、３９は音声出力端子
　以上の様に構成されたＣＤについて以下第１図、第２図、第３図、第４図を用いてその詳細な動作を説明する。
　本実施例のＣＤには第２図のように
リードイン領域のサブコードＲチャンネルにミュージックスキャン時に再生する再生区間を表す再生開始位置を示ずタイムコード１２と再生終了位置を示すタイムコード１３がそれぞれ分、秒、フレームの順でトラック番号１１と対応させて記録されている
　本実施例の再生装置（以下プレーヤと略記する）は、
まず本実施例のＣＤ１を挿入するとＣＤ１のリードイン領域２を再生し
マイコン３５はサブコードＱチャンネルに記録されたＴＯＣ情報を読み込み各トラックの先頭アドレスなとの配置情報を得る。それと同時にサブコードＲチャンネルに記録された各トラックのトラック番号１１と再生開始位置を示すタイムコード１２と再生終了位置を示すタイムコード１３を読み込む
　本実施例のプレーヤで本実施例のＣＤ１を
ミュージックスキャン再生する場合、マイコン３５は得られた各トラックの再生開始位置を示すタイムコード１２と再生終了位置を示すタイムコード１３をもとに、サーボ回路３７を制御してＣＤ１のプログラム領域３に記録された第１トラックの再生開始位置２１をサーチし、その位置から第１トラックの再生終了位置２２まで再生する
各トラックに対して同じ動作を最終トラックの再生終了位置２６を再生する
　
（ｄ）「ミュージックスキャン再生を行った場合にフレーズの途中で途切れたりすることなく、また再生区間をトラック毎に設定できるのでディスク製作者がこの機能を用いてより効果的にディスクの内容を表現できるコンパクトディスクとその再生方法とその再生装置を提供する」（３頁右下欄行〜１２行）
　
　上記引用例記載事項及び図面を総合勘案すると、第１引用例には、次の発明（以下、「引用発明」という。）が記載されているとすることができる。
　
「リードイン領域、音響情報が記録されたプログラム領域、ディスクの終端を示すリードアウト領域を有し、リードイン領域のサブコードＱチャンネル領域にはそのＣＤに記録されているトラックの番号と先頭のタイムコード、そのＣＤに記録されている最初と最終のトラック番号、リードアウト領域の先頭のタイムコード等を示すＴＯＣが記録され、リードイン領域のサブコードＲチャンネルに、ミュージックスキャン時に再生する再生区間を表す再生開始位置を示すタイムコードと、再生終了位置を示すタイムコードが、それぞれ分、秒、フレームの順でトラック番号と対応させて記録されているＣＤの再生装置であって、
　少なくともピックアップ、ＥＦＭ復調器、ＣＩＲＣデコーダ、マイコン、スピンドルモータ、サーボ回路、Ｄ／Ａコンバータ、音声出力端子を有し、
　ＣＤを挿入するとＣＤのリードイン領域を再生し、
　マイコンは、サブコードＱチャンネルに記録されたＴＯＣ情報を読み込み各トラックの先頭アドレスなとの配置情報を得ると同時にサブコードＲチャンネルに記録された各トラックのトラック番号と再生開始位置を示すタイムコードと再生終了位置を示すタイムコードを読み込み、
　ミュージックスキャン再生する場合、前記マイコンは、得られた各トラックの再生開始位置を示すタイムコードと再生終了位置を示すタイムコードをもとに、サーボ回路を制御してＣＤのプログラム領域に記録された第１トラックの再生開始位置をサーチし、その位置から第１トラックの再生終了位置まで再生し、同様に、各トラックに対して同じ動作を最終トラックの再生終了位置を再生するようにし、
　トラック毎にミュージックスキャン再生の再生区間を可変にしたコンパクトディスクの再生装置。」
　
（２）第２引用例
　同じく原査定の拒絶の理由に引用された、本願出願前に頒布された刊行物である特開平７−２８４０６４号公報（以下、「第２引用例」という）には、図面とともに以下の技術事項が記載されている。
（ｅ）図２及び図３を参照して、ディスクのフォーマットについて記載されている。
「【００２６】シーケンス・アイテム・テーブルＳＩＴｉ（ｉ＝１〜（Ｎ−１））は、６４個の項目欄を有する。そして、その項目には、必須のものと、任意のものとがあるが、各項目欄における内容の長さは可変とされている。そのため、シーケンス・アイテム・テーブルＳＩＴｉの先頭には、そのテーブルの長さを示す情報ＧＬが設けられる。そして、各項目のデータは、アイテムパケットと呼ばれ、各アイテムパケットは、各項目番号（アイテム番号）ＩＮｏ．と、その項目の長さの情報ＩＬと、その項目の内容ＩＤ（テキストデータ）とからなる。
【００２７】図３は、そのテーブルＳＩＴｉの構造を示すものである。例えばアイテム番号９は曲名の項目欄とされ、その内容は曲名を示すデータがテキストデータとされている。あるいは、項目番号１８は歌詞の項目欄とされ、歌詞がテキストデータの形式で収容されている。また、アイテム番号２２〜３１の項目欄は、メーカに開放されていて、メーカが自由に定義して使用できる。」
　
（ｆ）「【００４４】図５は、シーケンス・アイテム・テーブルの内の、部分シーケンスのアクセスポイントの位置および属性の指定のために使用されるアイテムパケットの例を示す。アイテム番号は、前述したように、メーカーが自由に定義して使用することができるアイテム番号２２〜３１の内のいずれかである。以下の説明では、例えばアイテム番号２２のアイテムパケットが部分シーケンスのアクセスポイント用とされるものとする。」
　
（ｇ）「【００５０】再生装置では、アイテム番号２２のデータＤＩを８バイトづつに区切り、その８バイトづつのデータの先頭の１バイトであるイベントデータＥの上位ビットＥＨから、サビポイントやｎ−コーラスポイント、間奏ポイントなどを識別することができ、つぎの１バイトであるイベントデータＥの下位ビットＥＬから、そのポイントでどのような制御を行う可を認識することができる。そして、８バイトづつのデータの３番目のバイトから８番目のバイトＭＨ〜ＦＬにより、当該ポイントの位置を時間情報として知ることができる。」
　
（ｈ）「【００６１】以上説明した再生装置を用いてサビ部分の部分再生を行う場合について説明する。この場合、ビデオＣＤには、目的の曲のサビ部分の開始ポイントＰｓおよび終了ポイントＰｅに関する情報が、当該目的の曲についてのシーケンス・アイテム・テーブルのアイテム番号２２のデータとしてトラック１に記録されているものとする。」
　
（ｉ）図２には、「カラオケベーシックインフォメーションエリア」の日本語情報領域「ＫＡＲＩＮＦＯ．ＪＰ」の「グループ１」に「シーケンスＮｏ．１アイテム」の「アイテムパケット０」に「アイテム番号」「アイテムレングス」「データ（テキストデータ）」が記録されている様子が示されている。図３には、項目番号（アイテム番号）と、各項目番号に対応する内容の種別が示されている。
　
３．対比
　本願補正発明を、引用発明と比較すると、引用発明における「ＣＤ」及び「再生装置」は、それぞれ本願補正発明における「記録媒体」及び「再生装置」に相当する。
　引用発明における「ミュージックスキャン（再生）」は、「主にディスクに記録されている内容の概要を知る」ための再生動作で、従来例では曲冒頭から所定の時間再生するものであったところを、「トラック毎に」「再生区間を可変にした」ことで、より効果的にディスクの内容を表現できるというものであるから、本願補正発明の「ダイジェスト（再生）」に相当する。
　記録媒体について、引用発明における「音響情報が記録されたプログラム領域」は、本願補正発明における「少なくとも一つのプログラムが記録されたプログラム領域」に相当する。
　ＣＤのサブコードは、Ｐ〜Ｗチャンネルまで、各１ビットであり、９８フレーム分のデータをチャンネルごとに集めることで、意味のあるデータとして扱うことが周知であるから、引用発明におけるＱチャンネル、及びＲチャンネルに記録されたデータは、本願補正発明における「所定の長さの記録情報を所定の数だけ積層することにより判別可能となる」ものであり、「ＣＤに記録されているトラックの番号と先頭のタイムコード、そのＣＤに記録されている最初と最終のトラック番号、リードアウト領域の先頭のタイムコード」が記録されていることは、本願補正発明における「上記プログラム領域に記録されている上記プログラムの総プログラム数と、各プログラムの記録位置」が記録されていることに相当し、引用発明において「ミュージックスキャン時に再生する再生区間を表す再生開始位置を示ずタイムコードと、再生終了位置を示すタイムコードが、それぞれ分、秒、フレームの順でトラック番号と対応させて記録されている」ことは、本願補正発明において「１乃至複数のプログラムのダイジェスト情報の記録位置を示すダイジェスト管理情報」が記録されていることに相当する。したがって、引用発明のＣＤにおける「リードイン領域」または同領域に記録された「ＴＯＣ」は、本願補正発明における「管理領域」に相当する。
　引用発明の再生装置において「少なくともピックアップ、ＥＦＭ復調器、ＣＩＲＣデコーダ、マイコン、スピンドルモータ、サーボ回路、Ｄ／Ａコンバータ、音声出力端子」等の手段を有する再生装置は本願補正発明の「上記プログラム領域および上記管理領域を再生する再生手段」を構成するものである。
　引用発明において「ＣＤを挿入するとＣＤのリードイン領域を再生し、
　マイコンは、サブコードＱチャンネルに記録されたＴＯＣ情報を読み込み各トラックの先頭アドレスなとの配置情報を得ると同時にサブコードＲチャンネルに記録された各トラックのトラック番号と再生開始位置を示すタイムコードと再生終了位置を示すタイムコードを読み込み」との動作は、読み込んだ情報は、トラックごとの音声情報を再生するために用いられるもので、マイコン内部に、又はマイコンとは別に、設けられた周知の記憶手段に、それぞれの情報が識別して記憶されていることが明らかであるから、引用発明は、本願補正発明の「ダイジェスト管理情報」「を識別して記憶する記憶手段」を備えているものである。
　ＣＤ等の再生装置がユーザのために様々な操作手段を備えていることは自明であり、前記再生装置が、ユーザによる前記操作手段の操作に応じて動作することも自明である。引用発明がミュージックスキャン再生を可能とする再生装置である以上、前記ミュージックスキャン再生を指示する操作手段が含まれ、当該操作手段の操作に応じてミュージックスキャン再生が実行されることもまた自明である。したがって、引用発明は、本願補正発明の「上記記録媒体に記録されたダイジェスト情報のダイジェスト再生」「を指示することができる操作手段」を備えていることが自明である。
　引用発明において、「ミュージックスキャン再生する場合、前記マイコンは、得られた各トラックの再生開始位置を示すタイムコードと再生終了位置を示すタイムコードをもとに、サーボ回路を制御してＣＤのプログラム領域に記録された第１トラックの再生開始位置をサーチし、その位置から第１トラックの再生終了位置まで再生し、同様に、各トラックに対して同じ動作を最終トラックの再生終了位置２６を再生する」ことは、本願補正発明において「上記ダイジェスト再生が指示された場合に、上記ダイジェスト管理情報で指示される上記ダイジェスト情報を選択的に再生する制御を」行うことに相当し、前記「マイコン」は、本願補正発明における「制御手段」に相当する。
　
　以上のことからすると、本願補正発明と、引用発明とは、次の点で一致する。
＜一致点＞
　少なくとも一つのプログラムが記録されたプログラム領域と、
　所定の長さの記録情報を所定の数だけ積層することにより判別可能となる、上記プログラム領域に記録されている上記プログラムの総プログラム数と、各プログラムの記録位置と、１乃至複数のプログラムのダイジェスト情報の記録位置を示すダイジェスト管理情報とが記録された管理領域とを有する記録媒体を再生する再生装置であって、
　上記プログラム領域および上記管理領域を再生する再生手段と、
　上記ダイジェスト管理情報を識別して記憶する記憶手段と、
　上記記録媒体に記録されたダイジェスト情報のダイジェスト再生を指示することができる操作手段と、
　上記ダイジェスト再生が指示された場合に、上記ダイジェスト管理情報で指示される上記ダイジェスト情報を選択的に再生する制御を行う制御手段とからなることを特徴とする再生装置。
　
　一方で、以下の点で相違する。
　
（相違点１）
　本願補正発明では、管理領域に「管理情報の種別を示す識別情報」及び「プログラム領域に記録されているプログラムの内容を示すプログラム管理情報」も記録されているのに対し、引用発明では、前記各情報については記録されていない点。
　
（相違点２）
　本願補正発明では、「上記再生手段によって再生され、所定の長さの記録情報を所定の数だけ積層することにより判別可能となった上記管理領域中の記録情報から上記識別情報を分離する識別情報分離手段と、
　上記識別情報分離手段によって分離された上記識別情報に基づいて、上記ダイジェスト管理情報と上記プログラム管理情報とを識別して記憶する」としているのに対し、引用発明では、このような事項について特定されない点。
　
（相違点３）
　本願補正発明では、操作手段が「プログラム管理情報の表示を指示することができる」もので、制御手段は「上記プログラム管理情報の表示が指示された場合に、上記プログラム管理情報を表示する制御を行う」のに対し、引用発明では、表示に関する特定がない点。
　
４．判断
（相違点１）について
　第２引用例には、ディスクに様々な管理情報を記録したものが記載されており、前記管理情報の中には、「サビポイント」や「ｎ−コーラスポイント」など曲中の所定の区間を示す「時間情報」の他、情報曲名、歌詞など、明らかに本願補正発明の「プログラム領域に記録されているプログラムの内容を示すプログラム管理情報」に相当するものが含まれている。また、「アイテム番号ＩＮｏ．」は、前記様々な管理情報が何を示すものか識別するためのものであるから、本願補正発明の「管理情報の種別を示す識別情報」に相当するものである。ＣＤフォーマットにおいて、サブコードのＲチャンネル乃至Ｗチャンネルに様々な管理情報を記録することは、例えば、特開平６−３１４４６７号公報、特開平７−６５１２号公報、特開平７−１４１７６５号公報等にて周知の事項にすぎないから、引用発明においても、サブコードのＲチャンネル、又はＲチャンネル乃至Ｗチャンネルの適宜のチャンネルに、曲中の時間を示すミュージックスキャン再生に用いるタイムコードに加えて「プログラム領域に記録されているプログラムの内容を示すプログラム管理情報」も併せて記録することとし、前記ミュージックスキャン再生に用いるタイムコードと識別するために「管理情報の種別を示す識別情報」により管理情報の内容を識別できるようにすることは、第２引用例及び前記周知事項を参照することにより当業者が容易に想到しうるものである。
　
（相違点２）について
　上記「（相違点１）について」で検討したように、引用発明において、サブコードのＲチャンネル、又はＲチャンネル乃至Ｗチャンネルの適宜のチャンネルに、曲中の時間を示すミュージックスキャン再生に用いるタイムコードに加えて「プログラム領域に記録されているプログラムの内容を示すプログラム管理情報」も併せて記録し、前記ミュージックスキャン再生に用いるタイムコードを識別するために「管理情報の種別を示す識別情報」により管理情報の内容を識別できるようにした場合には、ＣＤフォーマットのサブコードが９８フレームで１サブコードフレームを構成する規格となっていることは周知の事項にすぎないから、前記「識別情報」も、「所定の長さの記録情報を所定の数だけ積層することにより判別可能となった上記管理領域中」に記録されることとなるのは当然のことであり、再生装置としては、識別情報を分離することで始めて管理情報の種別が判別できるのであるから、「管理領域中の記録情報から上記識別情報を分離する識別情報分離手段」を備えるのは当然のことであり、識別情報により識別された管理情報は、それぞれその内容をマイコンが記憶することも当然であるから、「識別情報分離手段によって分離された上記識別情報に基づいて、上記ダイジェスト管理情報と上記プログラム管理情報とを識別して記憶する」
ように構成することは当業者が容易に想到しうるものである。
　
（相違点３）について
　前記「対比」でも明らかにしたとおり、ＣＤ等の再生装置がユーザのために様々な操作手段を備えていることは自明であり、前記再生装置が、ユーザによる前記操作手段の操作に応じて動作することも自明である。一方で、ディスク再生装置において、表示手段を備え、読み取った管理情報を表示することは周知事項にすぎないから、引用発明においても、操作手段に「プログラム管理情報の表示」を指示することができるようにするとともに、制御手段が「上記プログラム管理情報の表示が指示された場合に、上記プログラム管理情報を表示する制御を行う」ことは当業者が容易に想到しうるものである。
　
　そして、上記各相違点を総合的に判断しても、本願補正発明が奏する効果は、引用例１に記載された発明及び周知技術から、当業者が十分に予測できたものであって、格別なものとはいえない。
　
５．本件補正についての結び
　以上のとおり、本願補正発明は、第１及び第２引用例に記載された発明及び周知事項に基づいて当業者が容易に発明をすることができたものであるから、特許法第２９条第２項の規定により、特許出願の際独立して特許を受けることができないものである。
　したがって、本件補正は、平成１８年改正前特許法第１７条の２第５項で準用する同法第１２６条第５項に規定する要件を満たさないものであるから、特許法第１５９条第１項で読み替えて準用する同法第５３条第１項の規定により却下すべきものである。
　
　
第３　本願発明について
１．本願発明
　平成１６年７月１４日付けの手続補正は上記のとおり却下されたので、本願の請求項１及び２に係る発明は、平成１６年３月１５日付けで手続補正された明細書の、特許請求の範囲の請求項１及び２に記載されたとおりと認められるところ、請求項１に係る発明（以下、「本願発明」という）は、上記「第２　〔理由〕１．」に本件補正前の請求項１として掲げたとおりのものである。
　
２．引用例
　原査定の拒絶の理由で引用された引用例及びその記載事項は、前記「第２　〔理由〕２．」に記載したとおりである。
　
３．対比・判断
　本願発明は、上記「第２　〔理由〕」で検討した本願補正発明から、管理領域について「所定の長さの記録情報を所定の数だけ積層することにより判別可能となる」との限定、及び識別情報が管理領域中の記録情報から上記識別情報を分離する識別情報分離手段によって分離されたとの限定を、それぞれ削除したものに相当する。
　そうすると、本願発明の構成要件を全て含み、更に他の要件を付加したものに相当する本願補正発明が前記「第２　〔理由〕４．」に記載したとおり、第１及び第２引用例に記載された発明及び周知事項に基づいて、当業者が容易に発明をすることができたものであるから、本願発明も、同様の理由により、引用発明及び周知事項に基づいて当業者が容易に発明をすることができたものである。
　
４．むすび
　以上のとおり、本願の請求項１に係る発明は、特許法第２９条第２項の規定により特許を受けることができないものであるから、その余の請求項について論及するまでもなく、本願は拒絶すべきものである。
　よって、結論のとおり審決する。